(57)【特許請求の範囲】
【請求項１】
液透過性のトップシートと液不透過性のバックシートと、これら両シートの間に配置される吸収体とからなり、該吸収体側縁から上記トップシート及びバックシートの一方又は両方のシートが外方に延在するサイドフラップ部を有した使い捨ておむつにおいて、
上記トップシートを配した上記吸収体の上面上に、排泄物の漏れを防ぐ一対の防漏壁を所定間隔あけて設け、
上記防漏壁は所定幅を有した帯状の液不透過性シートからなり、該防漏壁の１側端が上記吸収体面上で固定される固定端として形成されると共に、該防漏壁の他側端が自由端として形成され、
上記防漏壁を形成するシート素材は、その上記固定端から更に延在した延在部を有しており、該延在部は、液不透過性の撥水シート部となっており且つ上記吸収体の側縁を覆って上記バックシートと接合されており、該延在部における、上記固定端の近傍には開口が形成されており、該開口から液吸収領域が表出するようになっていることを特徴とする使い捨ておむつ。
【請求項２】
上記防漏壁の自由端は弾性伸縮部材を有していることを特徴とする請求項１記載の使い捨ておむつ。
【請求項３】
上記トップシートは、上記一対の防漏壁の間の液吸収領域及び防漏壁が設けられる固定端近傍の液吸収領域を除いて、液不透過性の撥水部で形成されて、該撥水部が上記サイドフラップ部を覆って上記バックシートと接合されていることを特徴とする請求項１又は２記載の使い捨ておむつ。
【請求項４】
上記トップシートは、上記一対の防漏壁の間の液吸収領域及び防漏壁が設けられる固定端近傍の液吸収領域までの上記吸収体を覆い、かつ上記トップシートは上記サイドフラップ部を覆う液不透過性の撥水シートと接合されて、上記吸収体面上に上記トップシートと、上記防漏壁を形成するシート素材と、上記撥水シートとの３部材を張り合わせて一体化したことを特徴とする請求項１乃至３記載の使い捨ておむつ。
【発明の詳細な説明】
【０００１】
【産業上の利用分野】
本発明は漏れ防止に優れた使い捨ておむつに係り、詳しくは、子供用または大人用に好適な使い捨ておむつに関する。
【０００２】
【従来の技術】
使い捨ておむつには、液透過性のトップシートと液不透過性のバックシートと、これら両シートの間に配置される吸収体とからなり、該吸収体側縁から上記トップシート及びバックシートの一方又は両方のシートが外方に延在するサイドフラップ部を有したものがある。
上記使い捨ておむつでは、防漏機能の点で、（１）排泄された尿が表面で流れておむつ端部に達すること、（２）尿の湿潤した表面で尿が滲みおむつ端部に達すること、及び（３）吸収体に吸収された尿量が吸収容量を越えて吸収体から溢れでること等が問題となっている。
【０００３】
（１）及び（２）はトップシートの濡れ特性に依存しており、トップシートの重要な機能として尿を速やかに吸収し、かつ滲み難いことが要求される。トップシートにこのような機能を付与するために、種々の提案がなされているが、中でもトップシートの中央部を親水性、側部を撥水性にする方法（特開平２−１７５９５８号公報）は、吸収機能と滲み防止機能を独立に設計できることから有力な方法であり、実際に子供用使い捨ておむつを中心に広く工業化されている。ところで、この優れたトップシートも特に高月齢の幼児、大人用のおむつにおいては、構造上、２つの課題がある。
【０００４】
第１に、使い捨ておむつの装着者が男性の場合、特に高月齢の幼児や成人男性の場合、ペニスから強い方向性のある尿が多量に排出される。これらの装着者は低月齢の幼児に比べてペニスが長く、装着時の向きも一定しない。このため排出部位（ペニスから先）が上記トップシートの親水部と側部（撥水部）の境界近傍、更に悪い場合には、中央部（親水部）表面から外れてしまうことがある。このため、排泄された尿は側部表面を流れおむつから漏れる危険性が極めて高くなる。
第２に、大人用の使い捨ておむつでは、おむつ交換時の介護者の肉体的経済的負荷を低減するために補助パッドを併用することが一般に広く行われている。補助パッドは多くの場合、おむつの最も幅の狭い股間部にあてがわれ、排泄された尿はまず補助パッドに吸収され、補助パッドが吸収容量を越えると尿は補助パッド部から溢れおむつの吸収体で吸収される。
【０００５】
しかし、補助パッドの幅がおむつの股間部の吸収体幅より大きいと、補助パッドから漏れた尿はおむつの吸収体の外側（液を吸収しないフラップ部分等）に直接流れ、おむつの吸収体が使用されないまま紙おむつの股間から漏れてしまう。特に、トップシートが中央親水部と側部撥水部として形成されている場合には、該撥水部が吸収体上の一部を覆うため、更に補助パッドの設置可能範囲が狭められる。このため、補助パッドから尿が側部に流れ出た場合、その流出部分が撥水性であるがために更に漏れる危険性が増加する。
また、補助パッドの幅がおむつの股間部の吸収体幅より小さくても、大人用の場合、ずれて装着されることが多く、補助パッドのいずれかの側縁がおむつの吸収体幅をはみ出す場合がある。
【０００６】
ところで、従来の使い捨ておむつにおいて、吸収体の外側に物理的障壁、即ち、液不透過性シートからなる堰き止め用防漏壁を有するものが提案されている（特開昭６２−２５０２０１号公報、特開昭６２−２２３３０３号公報）。この防漏壁は、従来帯状のシートであり、その１側端は腰当接側から腹当接側に至る吸収体の外側のサイドフラップ部に固定したものであり、その他側端は立設した防漏壁の自由端となっている。そして、このような防漏壁を有したものは、その機能上、上記問題である強い方向性のある排泄尿や補助パッドから漏れでた尿を物理的な障壁で堰き止めることが期待された。
【０００７】
【発明が解決しようとする課題】
しかしながら、特開昭６２−２５０２０１号公報、及び特開昭６２−２２３３０３号公報に記載された使い捨ておむつは、防漏壁が吸収体の両側縁より外側のサイドフラップ上にあることを特徴とするため、上記問題を解決することに困難な点が多々みられた。
【０００８】
たとえば、防漏壁の固定端が吸収体の外側にあるため、その防漏壁の自由端は股間を覆うおむつ面からはみ出すおそれがあり、また股間部フラップに設置したレッグギャザーの上を防漏壁が覆ってしまい股間へのおむつのフィット性を著しく損なう場合がある。このような不都合を解消するために、防漏壁の高さ（または液不透過性シートの帯状幅）を低くすることが考えられるが、一般に股間部のフラップの幅は小さいため、これを覆わない程度の防漏壁の高さにしたものは充分な防漏効果を発揮することができないことがある。
また、特開昭６２−２５０２０１号公報の使い捨ておむつにおいては、上記自由端を固定端より内側に位置する工夫を種々提案し上記課題の解決に当たっている。しかし、このような自由端の配置では、実際の装着時、防漏壁は液吸収領域であるトップシートを覆い易くなり、防漏壁も立ち難くなる。また、このような状態は、防漏壁の高さを高くするほど生じやすく、防漏壁の高さも制約される。更に、防漏壁がトップシートを覆ってしまうと、トップシート面の液吸収領域が減少し、吸収能も著しく低下する。
このような状態は補助パッドを装着する場合も同様に生じ、補助パッドの側縁が防漏壁からはみ出すことにつながる。また、補助パッドの側縁が防漏壁からはみ出すと、補助パッドの側縁が撥水性であるため致命的な濡れにつながる。
従って、本発明の目的は、液吸収領域の機能を損なうことなく、強い方向性のある排泄尿や補助パッドから漏れでた尿に対する優れた防漏機能を発揮する使い捨ておむつを提供することにある。
【０００９】
【課題を解決するための手段】
本発明は、液透過性のトップシートと液不透過性のバックシートと、これら両シートの間に配置される吸収体とからなり、該吸収体側縁から上記トップシート及びバックシートの一方又は両方のシートが外方に延在するサイドフラップ部を有した使い捨ておむつにおいて、上記トップシートを配した上記吸収体の上面上に、排泄物の漏れを防ぐ一対の防漏壁を所定間隔あけて設け、上記防漏壁は所定幅を有した帯状の液不透過性シートからなり、該防漏壁の１側端が上記吸収体面上で固定される固定端として形成されると共に、該防漏壁の他側端が自由端として形成され、上記防漏壁を形成するシート素材は、その上記固定端から更に延在した延在部を有しており、該延在部は、液不透過性の撥水シート部となっており且つ上記吸収体の側縁を覆って上記バックシートと接合されており、該延在部における、上記固定端の近傍には開口が形成されており、該開口から液吸収領域が表出するようになっていることを特徴とする使い捨ておむつを提供することにより上記目的を達成したものである。
【００１０】
【作用】
本発明の使い捨ておむつによれば、防漏壁の上記固定端は吸収体上に位置しており、おむつの股間フラップ端部までの距離が充分にあり、防漏壁の高さ、即ち上記液不透過性のシートの幅を広くすることが可能となる。また、上記吸収体面の上は、吸収体の外側のようにヨレ易い面と相違して、上記固定端の設置面として安定している。即ち、おむつ等が少しヨレた場合でも、上記固定端が設置される面は安定しており、上記自由端の立ち状態は比較的維持されやすくなる。更に、サイドフラップ部側における防漏壁の固定端の近傍に液吸収領域が設けられているので、排泄速度、排泄量が極めて多いときや横向き寝の体位で排泄するとき等の厳しい排泄条件下で、尿などが防漏壁を超えた場合にこれを吸収することができる。したがって、尿等の漏れをカバーする防漏壁のエリアは広がり、補助パッドが簡単に防漏壁内に収まると共に、補助パッドから溢れる尿等に対しても防漏壁は充分に機能する。
【００１１】
【実施例】
以下、本発明に係る使い捨ておむつの実施例を図面を参照して説明する。図３は本発明に係る使い捨ておむつの一実施例の股間当接部における要部断面の説明図である。また、図１は本発明に係る使い捨ておむつの参考例の股間当接部における要部断面の説明図、図２は別の参考例における使い捨ておむつのそれぞれの要部断面の説明図である。
ここで、図１及び図２にそれぞれ示す参考例は、図３に示す実施例とは一部の構成が異なる例である。参考例における、実施例と同じ構成部分についての説明は、実施例にも適宜適用される。
【００１２】
参考例に係る使い捨ておむつは、図１に示す如く液透過性のトップシート２と液不透過性のバックシート３と、これら両シート２、３の間に配置される吸収体４とからなり、該吸収体４側縁から上記トップシート２及びバックシート３の一方又は両方のシートが外方に延在するサイドフラップ部を有しており、このような構成は、公知の使い捨ておむつと同じである。
而して、参考例に係る使い捨ておむつは、図１に示す如く、上記トップシート２を配した上記吸収体４の上面上に、排泄物漏れを防ぐ一対の防漏壁５、５を所定間隔あけて設け、上記防漏壁５は所定幅を有した帯状の液不透過性シートからなり、該防漏壁５の１側端が上記吸収体面上で固定される固定端５Ａとして形成されると共に、該防漏壁５の他側端が自由端５Ｂとして形成され、上記一対の防漏壁の各自由端５Ｂは、上記一対の固定端間の液吸収領域２Ａの外側に向けて（図１の矢印Ａ及びＢの方向）配置したものであり、上記固定端５Ａの近傍で上記固定端５Ａと上記吸収体側縁部４Ａとの間で上記吸収体４の上面の一部が液吸収領域２Ｂとなっている。
【００１３】
また、図１に示す参考例においては、上記トップシート２は、上記一対の防漏壁５、５の固定端５Ａ間の上記液吸収領域２Ａ及び防漏壁５が設けられる固定端５Ａの近傍の液吸収領域２Ｂを除いて、液不透過性の撥水部２Ｃで形成されて、該撥水部２Ｃが上記吸収体４の側縁４Ａを覆って上記バックシート３と接合されている。
更に、参考例においては、上記防漏壁５の図示しない腰当接側の一部分または腰当接側の自由端５Ｂの一部が上記液吸収領域２Ａの外側のトップシート２面或いは吸収体４面上に固着され、上記自由端５Ｂが上記外側に配置するようになっている。また、図１に示す参考例においては、上記防漏壁５の自由端５Ｂは弾性伸縮部材６を有している。
【００１４】
参考について更に説明すると、図１に示す使い捨ておむつ１において、トップシート２は液透過性の親水部（液吸収領域２Ａ及び２Ｂ：図１の実線の細い部分で示してある。）と液不透過性の撥水部２Ｃ（図１の実線の太い部分で示してある。）とからなり、トップシート２は、親水性のシートに撥水部２Ｃを撥水処理して製造することができ、逆に、撥水性のシートに親水部２Ａ、２Ｂを親水処理し製造するこができる。また、両方の処理をそれぞれの箇所に行って製造することができる。参考例では親水性のウエブと撥水性のウエブを一部重ね合わせて一体に形成することによって製造してある。
【００１５】
上記トップシート２は、吸収体４の上面を覆っており、バックシート３は吸収体４の下面を覆っている（尚、図において説明のため、トップシート、バックシート及び吸収体の各隙間を強調して示してあるが、実際は隙間が殆どなく密着している。）。また、トップシート２の側端部とバックシート３の側端部は接着剤１１（図において接着剤の厚みが強調されている。）で互いに固着されている。
【００１６】
上記トップシート２の親水部、即ち吸収体４の上には、一定間隔をおいて一対の防漏壁５、５が設けられ、一対の防漏壁５、５の離間部は使い捨ておむつ１の液吸収領域２Ａとなっている。防漏壁５は、略帯状の液不透過性シートからなり、その１側端が上記トップシート２面に接着剤１２を介して固着され、その固定端５Ａは、図示しないが使い捨ておむつの腹当接側から腰当接側に至る吸収体４上に固定されている。
防漏壁５の他側端は自由端５Ｂとなっており、自由端５Ｂには弾性伸縮部材であるギャザー６が設けられ、ギャザー６は防漏壁５の立ち上がり性を良くしている。また、固定端５Ａ部での曲げ癖、または参考例のように図示しない腰当接側に至る自由端５Ｂの一部を液吸収領域２Ａの外側（或いは反対側）のトップシート２面に固着させることにより、自由端５Ｂの全体は液吸収領域２Ａの外側に配置されるようになっている。
【００１７】
参考例のトップシート２としては、排泄物を吸収体４へ透過させる液透過性シートで肌着に近い感触を有したものが好ましく、このような液透過性シートとしては、例えば織布、不織布、多孔性フイルム等が好ましい。また、トップシート２の撥水部２Ｃにシリコン系油剤、パラフィンワックス等の疎水性化合物を塗布する方法や、予めアルキルリン酸エステルのような親水性化合物を塗布し、その撥水部２Ｃとなる部分を温水で洗浄することにより撥水処理を施し、撥水部２Ｃに於ける尿などの滲みによる漏れを防止することができる。
【００１８】
バックシート３は、熱可塑性樹脂にフィラーを加えて延伸した液不透過性且つ蒸気を透過させる蒸気透過性のシートが用いられ、肌着に近い感触を有したもの、例えば、フィルムと不織布との複合材、或いはフィルムと織布との複合材料等が用いられる。
【００１９】
吸収体４の材料としては、解繊パルプを主材とし、高吸水ポリマーを併用したものが好ましく、そのほか、熱可塑性樹脂、セルロース繊維、高分子吸水性ポリマーの混合物に熱処理を加えたものなどが好ましい。高分子吸水ポリマーの存在位置は、吸収体４の上層、中層、下層のいずれであってもよく、解繊パルプと混合しあったものであってもよい。高分子吸水ポリマーとしては、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましい。形状としては、略中央がくびれた砂時計型形状に形成されることが好ましい。
【００２０】
防漏壁５は所定幅を有した帯状の液不透過性シートからなり、シートの幅（又は高さ）としては２０乃至８０mmの範囲が望ましく、参考例においてはシートの幅が３５mmとなっている。また、具体的な液不透過性シートとしては、スパンボンド不織布、ポリオレフィン系フィルム、不織布とフィルムのラミネート材等が挙げられる。
【００２１】
以上のように構成した参考例の使い捨ておむつにおいて、防漏壁５の固定端５Ａは吸収体４上に位置しており、おむつの股間フラップ端部までの距離が充分にあり、防漏壁５の高さ、即ち上記液不透過性のシートの幅を広く形成することができる。また吸収体４面の上は、吸収体４の外側のようにヨレ易い面（剛性のない面）と相違して、固定端５Ａの設置面として安定している。このため、自由端５Ｂは、その一部が腰当接側の近傍における液吸収領域２Ａ外側のトップシート２面に固着されていることと相まって、液吸収領域２Ａの外側に向けて立った状態での配置が容易となっている。更に、自由端５Ｂはギャザー６の収縮により全体に立ち上がり易くなっている。
【００２２】
このような防漏壁５の設置状態で、おむつの液吸収領域２Ａは防漏壁５を介して幅広い排泄域の尿漏れ等を防止する。また、上記のような自由端５Ｂの立ち状態では、装着の際に、防漏壁５が液吸収領域２Ａを覆うおそれが少なく、補助パッド等の装着が簡単になる。更に、自由端５Ｂのギャザー６等により補助パッド等の位置ずれなどのおそれがすくなくなっている。
また、参考例においては、装着時の上記防漏作用が充分に見られる他に、使用時においても好適な防漏作用を発揮する。即ち、排泄部位や補助パッド等が防漏壁５、５内に収まっていても、排泄速度、排泄量が極めて多いときや横向き寝の体位での排泄するとき等の厳しい排泄条件下では、尿などが防漏壁５を越える場合があるが、しかし、参考例のおむつ１では、越えてくる尿が撥水部２Ｃに滞留しないように防漏壁５の固定端５Ａの近傍の液吸収領域２Ｂで吸収することができるようになっている。したがって、参考例の使い捨ておむつ１は、尿の漏れ等を二重に防止している。
【００２３】
次に、本発明の別の参考例を図２にしたがって説明する。図２は、別の参考例に係る使い捨ておむつの股間当接部に於ける要部断面の説明図である。
別の参考例に係る使い捨ておむつは、図１に示す参考例とほぼ同様に構成されており、図１に示す参考例における部材と同様な部材については図２において同一符号を付してその詳しい説明を省略するが、図１に示す参考例と相違するところは、上記トップシート２が上記一対の防漏壁５、５の間の液吸収領域２Ａ及び防漏壁５が設けられる固定端５Ａ近傍の液吸収領域２Ｂまでの上記吸収体４を覆い、かつ上記トップシート２は上記吸収体４の側縁４Ａを覆う液不透過性の撥水シート７に接合されて、上記吸収体４面上に上記トップシート２と、上記防漏壁５を形成するシートと、上記撥水シート７との３部材を接着剤１３、１３、１３または超音波融着またはヒートエンボス等で張り合わせて一体化したこと点である。
従って、この図２に示す別の参考例によっても、先の図１に示す参考例の使い捨ておむつによる場合と同様な効果が奏される。
【００２４】
次に、本発明の実施例を図３にしたがって説明する。図３は、実施例に係る使い捨ておむつの股間当接部に於ける要部断面の説明図である。
本実施例に係る使い捨ておむつは、図１に示す参考例とほぼ同様に構成されており、図１に示す参考例における部材と同様な部材については図３において同一符号を付してその詳しい説明を省略するが、図１に示す参考例と相違するところは、上記防漏壁５、５を形成するシート素材が、その固定端５Ａを更に延在させて吸収体４の側縁４Ａを覆って上記バックシート３と接合されている点である。しかして、防漏壁５の延在部８は、液不透過性の撥水シート部となっており、延在部８の固定端５Ａの近傍には開口９が形成され、開口９からは液吸収領域２Ｂが表出するようになっている。
このような図３に示す実施例によっても、先の参考例の使い捨ておむつによる場合と同様な効果が奏される。
【００２５】
尚、上記実施例においては、防漏壁５とトップシート２の張り合わせ、及びトップシート２とバックシート３の張り合わせに、接着剤１１、１２、１３を用いたがこれに限るものではなく、張り合わせ接着が可能である限り、超音波融着、ヒートエンボス、その他の方法によって行うことができる。
【００２６】
【発明の効果】
本発明に係る使い捨ておむつは、体液吸収領域の機能を損なうことなく、強い方向性のある排泄尿や補助パッドから漏れでた尿に対する優れた防漏機能を発揮することができる。
【図面の簡単な説明】
【図１】  本発明に係る使い捨ておむつの参考例の股間当接部における要部断面の説明図である。
【図２】  本発明に係る別の参考例の使い捨ておむつの股間当接部における要部断面の説明図である。
【図３】  本発明に係る使い捨ておむつの実施例の股間当接部における要部断面の説明図である。
【符号の説明】
１          使い捨ておむつ
２          トップシート
２Ａ、２Ｂ  液吸収領域（親水部）
２Ｃ        撥水部
３          バックシート
４          吸収体
５          防漏壁
５Ａ        固定端
５Ｂ        自由端
６          弾性伸縮部材（ギャザー）
７          撥水シート
８          延在部
９          開口
【図１】
0003844719.tif 000002
【図２】
0003844719.tif 000003
【図３】
0003844719.tif 000004